(57)【要約】【課題】充分な耐衝撃性等の強度を得ることができると共に、薄型化や軽量化を図ることができる二重床用フロアパネルを提供する。【解決手段】基礎床面６０上に配線路空間７０を形成するように、基礎床面６０と所定間隔開けて配設され、支持脚５０で支持される二重床用フロアパネル１０であって、単板を複数枚重ね合わせた合板で構成されるコア材２０と、コア材２０の上面側に固着して設けられる上側鋼板材４０と、コア材２０の下面側に固着して設けられる下側鋼板材３０と、を備え、好適にはコア材２０の単板をユーカリ材とする。【選択図】図６
2011140856.tif 000002
【特許請求の範囲】
【請求項１】
基礎床面上に配線路空間を形成するように、前記基礎床面と所定間隔開けて配設され、支持部で支持される二重床用フロアパネルであって、
単板を複数枚重ね合わせた合板で構成されるコア材と、
前記コア材の上面側に固着して設けられる上側板材と、
前記コア材の下面側に固着して設けられる下側板材と、
を備えることを特徴とする二重床用フロアパネル。
【請求項２】
前記単板をユーカリ材とすることを特徴とする請求項１記載の二重床用フロアパネル。
【請求項３】
前記コア材を構成する前記単板の比重を０．７０以上０．８５以下とすることを特徴とする請求項１又は２記載の二重床用フロアパネル。
【請求項４】
前記上側板材の周縁に、下方に屈曲延設される垂下片を設け、
前記下側板材の周縁に、上方に屈曲延設される立上片を設け、
前記垂下片と前記立上片とを少なくとも一部に重なり部を有するように配置して、前記垂下片と前記立上片とで前記コア材の周面の少なくとも一部を覆い、
前記重なり部により、外側に位置する前記垂下片で内側に位置する前記立上片及び前記コア材の周面を押圧する、又は外側に位置する前記立上片で内側に位置する前記垂下片及び前記コア材の周面を押圧することを特徴とする請求項１〜３の何れかに記載の二重床用フロアパネル。
【請求項５】
前記立上片の内面を前記コア材の周面に略当接し、前記垂下片の内面を前記立上片の外面に略当接することを特徴とする請求項４記載の二重床用フロアパネル。
【請求項６】
前記コア材の周面を、上面の端縁から略垂直に下がる上側垂下面と、前記上側垂下面の端縁から内方へ向かうテーパ面と、前記テーパ面の端縁から略垂直に下がる下側垂下面とから構成し、
前記下側板材の前記立上片を、底面の端縁から立ち上がり、前記コア材の前記下側垂下面に沿うように形成される下側立上面と、前記下側立上面の上端縁を外方に拡開させ、前記コア材の前記テーパ面に沿うように形成される拡開テーパ面と、前記拡開テーパ面の上端縁から立ち上がり、前記コア材の上側垂下面に沿うように形成される上側立上面とから構成し、
前記下側板材の角部に切欠部を形成することを特徴とする請求項４又は５記載の二重床用フロアパネル。
【請求項７】
前記コア材の周面の第１の面に設けられる第１の凹部と、
前記コア材の周面の第２の面に設けられる第２の凹部と、
前記第１の凹部に取り付けられる取付部と、前記第２の凹部に係合可能な係合突出部とを有する突起体とを備え、
前記取付部の取付方向の面に先端に拡大部を有するアンカー凹部を形成し、前記第１の凹部に前記突起体の前記取付部を取り付けると共に、前記第１の凹部と前記取付部とを接着する接着剤が前記アンカー凹部に入り込んでいることを特徴とする請求項１〜６の何れかに記載の二重床用フロアパネル。
【請求項８】
請求項１〜７の何れかに記載の二重床用フロアパネルを、基礎床面に配置される支持部上に敷設する二重床設備であって、
前記支持部を、
前記基礎床面に設置されるベース部と、
前記ベース部から立設する立設部と、
前記立設部に高さ調整可能に取り付けられる調整部と、
前記調整部上に配置されるスペーサ部と、
前記スペーサ部上に配置される緩衝材とから構成し、
前記フロアパネルの底面を前記緩衝材上に載置することを特徴とする二重床設備。
【請求項９】
前記スペーサ部を樹脂で形成し、
前記スペーサ部の上部に、前記二重床用フロアパネルの周面の一部に略当接して前記二重床用フロアパネルを位置決めする突出部を設けることを特徴とする請求項８記載の二重床設備。
【発明の詳細な説明】
【技術分野】
【０００１】
本発明は、基礎床面上に配線路空間を形成するように基礎床面と所定間隔開けて配設され、支持部で支持される二重床用フロアパネル及び二重床設備に関する。
【背景技術】
【０００２】
従来、基礎床面上に配線路空間を形成するように基礎床面と所定間隔開けて配設され、支持部で支持される二重床用フロアパネルが知られている。二重床用フロアパネルは、例えば特許文献１、２に開示されている様に、上側板材と下側板材との間に略平板状のコア材を設け、上側板材をコア材の上面側に接着し、下側板材をコア材の下面側に接着して構成される。このコア材としては、パーチクルボードやＭＤＦ等が用いられる。
【先行技術文献】
【特許文献】
【０００３】
【特許文献１】特開平１０−１１５０７７号公報
【特許文献２】特開２００９−２０３６１６号公報
【発明の概要】
【発明が解決しようとする課題】
【０００４】
ところで、特許文献１、２のように二重床用フロアパネルのコア材にパーチクルボードやＭＤＦを用いる場合、二重床用フロアパネルを軽量化し、施工性の向上や建物への荷重負担を軽減することができるというメリットがある。しかしながら、耐衝撃性等の強度が十分でないため、二重床用フロアパネルとしての必要な強度を確保するために、コア材の板厚を厚くする、又は上側板材や下側板材を厚くする必要が生じ、結果として重量が増大すると共に、高コストになるという不具合が生じていた。
【０００５】
本発明は上記不具合を解消するために提案するものであって、充分な耐衝撃性等の強度を得ることができると共に、薄型化や軽量化を図ることができる二重床用フロアパネル及び二重床設備を提供することを目的とする。また、本発明の他の目的は、簡易な構造で、低コストである二重床用フロアパネル及び二重床設備を提供することにある。また、本発明の他の目的は、二重床用フロアパネルの周面近傍の強度を強化することができる二重床用フロアパネル及び二重床設備を提供することにある。また、本発明の他の目的は、建物が浸水した場合にも、最低限、物品の搬出作業が可能な状態を維持することができる二重床用フロアパネル及び二重床設備を提供することにある。
【課題を解決するための手段】
【０００６】
本発明の二重床用フロアパネルは、基礎床面上に配線路空間を形成するように、前記基礎床面と所定間隔開けて配設され、支持部で支持される二重床用フロアパネルであって、単板を複数枚重ね合わせた合板で構成されるコア材と、前記コア材の上面側に固着して設けられる上側板材と、前記コア材の下面側に固着して設けられる下側板材とを備えることを特徴とする。上側板材と下側板材は鋼製等の高強度のものとすると好適であり、又、上側板材と下側板材は、コア材の上面側と下面側にそれぞれ接着して固着すると好適である。
前記構成では、コア材を単板を複数枚重ね合わせた合板で構成することにより、充分な耐衝撃性等の強度を得ることができると共に、薄型化や軽量化を図ることができ、施工性の向上、コスト低減、建物への荷重負担の軽減を図ることができる。また、簡易な構造で、低コストである二重床用フロアパネルを得ることができる。
【０００７】
本発明の二重床用フロアパネルは、前記単板をユーカリ材とすることを特徴とする。
前記構成では、充分な耐衝撃性等の強度をより確実に得ることができると共に、薄型化や軽量化をより確実に図ることができる。
【０００８】
本発明の二重床用フロアパネルは、前記コア材を構成する前記単板の比重を０．７０以上０．８５以下とすることを特徴とする。
前記構成では、充分な耐衝撃性等の強度をより確実に得ることができると共に、薄型化や軽量化をより確実に図ることができる。
【０００９】
本発明の二重床用フロアパネルは、前記上側板材の周縁に、下方に屈曲延設される垂下片を設け、前記下側板材の周縁に、上方に屈曲延設される立上片を設け、前記垂下片と前記立上片とを少なくとも一部に重なり部を有するように配置して、前記垂下片と前記立上片とで前記コア材の周面の少なくとも一部を覆い、前記重なり部により、外側に位置する前記垂下片で内側に位置する前記立上片及び前記コア材の周面を押圧する、又は外側に位置する前記立上片で内側に位置する前記垂下片及び前記コア材の周面を押圧することを特徴とする。尚、前記構成は、コア材を単板を複数枚重ね合わせた合板で構成しない場合にも適用可能である。
前記構成では、垂下片や立上片に押圧する成形等を為すことにより、二重床用フロアパネルの強度が一番弱い部分である周面近傍において、鋼製等の上側板材や鋼製等の下側板材の折り曲り部分等を設けて強度を増すことができる。また、コア材の大部分を上側板材と下側板材で隠すことが可能であり、浸水時に二重床用フロアパネルが分解することを防止することができることから、建物が浸水した場合にも、最低限、物品の搬出作業が可能な状態を維持することができる。
【００１０】
本発明の二重床用フロアパネルは、前記立上片の内面を前記コア材の周面に略当接し、前記垂下片の内面を前記立上片の外面に略当接することを特徴とする。尚、前記構成は、コア材を単板を複数枚重ね合わせた合板で構成しない場合にも適用可能である。
前記構成では、より安定した高強度の構造で、二重床用フロアパネルの周面近傍を覆うことができ、耐燃焼性に優れている。
【００１１】
本発明の二重床用フロアパネルは、前記コア材の周面を、上面の端縁から略垂直に下がる上側垂下面と、前記上側垂下面の端縁から内方へ向かうテーパ面と、前記テーパ面の端縁から略垂直に下がる下側垂下面とから構成し、前記下側板材の前記立上片を、底面の端縁から立ち上がり、前記コア材の前記下側垂下面に沿うように形成される下側立上面と、前記下側立上面の上端縁を外方に拡開させ、前記コア材の前記テーパ面に沿うように形成される拡開テーパ面と、前記拡開テーパ面の上端縁から立ち上がり、前記コア材の上側垂下面に沿うように形成される上側立上面とから構成することを特徴とする。前記下側板材の角部には、それぞれの面を有しない切欠部等の切欠部を形成すると好適である。尚、前記構成は、コア材を単板を複数枚重ね合わせた合板で構成しない場合にも適用可能である。
前記構成では、二重床用のフロアパネルの強度が一番弱い部分である周面近傍において、曲げ部分を多くし、且つ、曲げ部分をコア材に略当接することにより、強度をより一層増すことができる。
【００１２】
本発明の二重床用フロアパネルは、前記コア材の周面の第１の面に設けられる第１の凹部と、前記コア材の周面の第２の面に設けられる第２の凹部と、前記第１の凹部に取り付けられる取付部と、前記第２の凹部に係合可能な係合突出部とを有する突起体とを備え、前記取付部の取付方向の面に先端に拡大部を有するアンカー凹部を形成し、前記第１の凹部に前記突起体の前記取付部を取り付けると共に、前記第１の凹部と前記取付部とを接着する接着剤が前記アンカー凹部に入り込んでいることを特徴とする。尚、前記構成は、コア材を単板を複数枚重ね合わせた合板で構成しない場合にも適用可能である。
前記構成では、コア材に簡単に突出部分を設けることができると共に、接着剤が拡大部に入り込ませ、アンカー効果により、突起体をコア材に強固に接着して安定して固定できる。また、係合突出部を隣接配置される別の二重床用フロアパネルの第２の凹部に係合することにより、隣接する一と別の二重床用フロアパネルを簡単に位置決めし、回転防止を図ること等が可能となる。
【００１３】
また、本発明の二重床設備は、本発明の二重床用フロアパネルを、基礎床面に配置される支持部上に敷設する二重床設備であって、前記支持部を、前記基礎床面に設置されるベース部と、前記ベース部から立設する立設部と、前記立設部に高さ調整可能に取り付けられる調整部と、前記調整部上に配置されるスペーサ部と、前記スペーサ部上に配置される緩衝材とから構成し、前記フロアパネルの底面を前記緩衝材上に載置することを特徴とする。前記調整部と前記スペーサ部は、それぞれ平面視略方形とすると好適である。尚、前記構成は、本発明以外の通常の二重床用フロアパネルの場合にも適用可能である。
前記構成では、調整部とスペーサとの回り止めなどを別途付加する必要がなくなるため、製造コストを低減することが可能となる。また、緩衝材上にフロアパネルの底面が位置することから、歩行感が良く、音なりを防止することができる。また、支持部等の構造が簡易で、低コストである二重床設備を得ることができる。
【００１４】
本発明の二重床設備は、前記スペーサ部を樹脂で形成し、前記スペーサ部の上部に、前記二重床用フロアパネルの周面の一部に略当接して前記二重床用フロアパネルを位置決めする突出部を設けることを特徴とする。
前記構成では、スペーサ部を単純な構成で製造することが可能となり、製造コストを低減することができる。また、スペーサ部上部の突出部で位置決めすることが可能となり、二重床用フロアパネルの位置決めして敷設を容易化することができる。
【発明の効果】
【００１５】
本発明では、コア材を単板を複数枚重ね合わせた合板で構成することにより、二重床用フロアパネルについて充分且つ安定した強度を得ることができると共に、薄型化や軽量化を図ることができ、施工性の向上、コスト低減、建物への荷重負担の軽減を図ることができる。特に、他のコア材では発揮できない耐衝撃性能を得ることができる。また、簡易な構造で、低コストである二重床用フロアパネルや二重床設備を得ることができる。また、二重床用フロアパネルの周面近傍の強度を強化することができる。また、建物が浸水した場合にも、最低限、物品の搬出作業が可能な状態を維持することができる。また、上側板材又は下側板材又はその双方を薄くすることができるため、ボーダー部材において、二重床用フロアパネルのカットが容易に行えることにより、施工性が向上し、コストダウンが可能となる。
【図面の簡単な説明】
【００１６】
【図１】（ａ）は実施形態の二重床設備を示す平面説明図、（ｂ）はその正面説明図。
【図２】（ａ）は実施形態の二重床用フロアパネルの平面図、（ｂ）はその正面図、（ｃ）はその側面図、（ｄ）は同図（ａ）のＡ１領域の拡大平面図、（ｅ）は同図（ａ）のＢ１領域の拡大平面図、（ｆ）は同図（ａ）のＣ１領域の拡大平面図、（ｇ）は同図（ｃ）のＤ１領域の拡大側面図。
【図３】（ａ）は実施形態の二重床用フロアパネルにおけるコア材の平面図、（ｂ）はその正面図、（ｃ）はその側面図、（ｄ）は同図（ａ）のＡ２領域の拡大平面図、（ｅ）は同図（ａ）のＢ２領域の拡大平面図、（ｆ）は同図（ａ）のＣ２領域の拡大平面図、（ｇ）は同図（ｂ）のＤ２領域の拡大正面図。
【図４】（ａ）は実施形態の二重床用フロアパネルにおける下側鋼板材の平面図、（ｂ）はその正面図、（ｃ）はその側面図、（ｄ）は同図（ａ）のＡ３領域の拡大平面図、（ｅ）は同図（ａ）のＢ３領域の拡大平面図、（ｆ）は同図（ａ）のＣ３領域の拡大平面図、（ｇ）は同図（ｂ）のＤ３領域の拡大正面図。
【図５】（ａ）は実施形態の二重床用フロアパネルにおける上側鋼板材の平面図、（ｂ）はその正面図、（ｃ）はその側面図、（ｄ）は同図（ａ）のＡ４領域の拡大平面図、（ｅ）は同図（ａ）のＢ４領域の拡大平面図、（ｆ）は同図（ａ）のＣ４領域の拡大平面図、（ｇ）は同図（ｂ）のＤ４領域の拡大正面図。
【図６】実施形態の二重床用フロアパネルにおける上側鋼板材とコア材と下側鋼板材の固着前の状態を示す正面説明図。
【図７】（ａ）は実施形態における突起体をコア材に取り付ける前の状態を示す平面説明図、（ｂ）は同図（ａ）のＡ−Ａ断面図。
【図８】（ａ）は一方の二重床用フロアパネルに取付けた突起体の他方の二重床用フロアパネルへの係合前の状態を示す平面説明図、（ｂ）はその係合後の状態を示す平面説明図。
【図９】（ａ）は実施形態の二重床設備における支持部の平面図、（ｂ）はその正面図。
【図１０】（ａ）は図９の支持部のベース部及び立設部を示す正面図、（ｂ）はその底面図。
【図１１】（ａ）は図９の支持部の調整部を示す平面図、（ｂ）はその正面図。
【図１２】（ａ）は図９の支持部のスペーサ部を示す平面図、（ｂ）はその正面図、（ｃ）は同図（ａ）のＢ−Ｂ断面図。
【図１３】（ａ）は変形例の二重床用フロアパネルを示す平面図、（ｂ）はその正面図、（ｃ）はその底面図。
【図１４】（ａ）は変形例の二重床用フロアパネルの要部拡大平面図、（ｂ）は同図（ａ）のＣ−Ｃ断面図。
【図１５】（ａ）は変形例の突起体を実施形態の二重床用フロアパネルに取付けた状態の部分平面図、（ｂ）はその部分側面図。
【発明を実施するための形態】
【００１７】
〔実施形態の二重床用フロアパネル及び二重床設備〕
本発明による実施形態の二重床用フロアパネル及び二重床設備について説明する。
【００１８】
本実施形態の二重床設備は、図１に示すように、支持脚分離型の二重床設備であり、支持部に相当する支持脚５０を所定間隔を開けて基礎床面６０に配置し、支持脚５０上に二重床用フロアパネル１０を敷設し、基礎床面６０から所定高さに二重床用フロアパネル１０を支持脚５０で支持するものである。二重床用フロアパネル１０の下面と基礎床面６０との間の所定間隔の空間は配線路空間７０を構成し、配線等が敷設可能である。
【００１９】
二重床用フロアパネル１０は、図２に示すように、基体となる平面視略方形の板状体であるコア材２０と、コア材２０の下面側に重ねて配置され、接着剤等の接着でコア材２０の下面側に固着して設けられる下側板材に相当する下側鋼板材３０と、コア材２０の上面側に重ねて配置され、接着剤等の接着でコア材２０の上面側に固着して設けられる上側板材に相当する上側鋼板材４０とから構成される。二重床用フロアパネル１０の四隅近傍には、支持脚５０に固定する固定用ボルトを挿通可能な挿通穴１１が穿設されており、その平面視で隣り合う２辺には配線引出用凹部１２が形成されている。各辺の配線引出用凹部１２は、中央から両側にずれた位置に２個ずつ、合計４個形成されている。配線引出用凹部１２が形成されている１辺の略中央で若干一方側にずれた位置には、二重床フロアパネル１０の回転防止や位置決め機能を有する突起体１３が設けられており、突起体１３を有する辺と対向する辺の略中央で若干一方側にずれた位置には、別の二重床用フロアパネル１０に設けられる突起体１３の係合突出部１３２を収納して係合可能とする収納凹部１４が形成されている。尚、突起体１３と収納凹部１４を前記若干一方側にずれた位置に配置することにより、二重床用フロアパネル１０・１０の収納凹部１４・１４が同じ側に配置された場合に、２つの収納凹部１４・１４の突合で大きな穴が形成されることを防止し、ハイヒールの踵の落ち込み等を防止することができる。
【００２０】
二重床用フロアパネル１０の平面視略方形は、長方形或いは正方形など適宜であり、例えば縦横の長さをそれぞれ６００ｍｍ、厚さを１８ｍｍ以上２５ｍｍ未満、好適にはその高さを１８ｍｍ以上２１ｍｍ以下とする構成、又、例えば縦横の長さをそれぞれ５００ｍｍ、厚さを１０ｍｍ以上１８ｍｍ未満等ことにより、十分な強度を得ることができる。また、斯様な高強度の二重床用フロアパネル１０により、二重床用フロアパネル１０を支持する支持脚５０の数を減らし、施工性の向上やコストダウンを図ることも可能となる。
【００２１】
コア材２０は、図３に示すように、単板を複数枚重ね合わせた合板で構成され、本実施形態ではユーカリの単板が複数枚重ねられ、それぞれを接着剤の接着等で相互に固着されている。コア材２０は、平面視略方形であり、上面２２と、上面２２よりも平面視面積が小さい下面２３と、周面２４とを有し、その周面２４は、上面２２の端縁から略垂直に下がる上側垂下面２４１と、上側垂下面２４１の端縁から内方へ向かうテーパ面２４２と、テーパ面２４２の端縁から略垂直に下がる下側垂下面２４３とから構成される。コア材２０の四隅近傍には、前記固定用ボルトを挿通可能で挿通穴１１を構成する挿通穴２５が穿設されており、配線引出用凹部１２及び収納凹部１４に対応する箇所には、対応する凹部２６、２７がそれぞれ形成されている。また、突起体１３を設ける箇所には、凹部２６、２７よりも大きな略蒲鉾形の凹状部２８が形成されており、凹状部２８に突起体１３が配設され、接着されるようになっている。コア材２０の周面２４の第１の面に形成された凹状部２８は、コア材２０の周面２４の第１の面に設けられる第１の凹部に相当し、コア材２０の周面２４の第１の面と対向する第２の面に形成された収納凹部１４に対応する凹部２７は、コア材２０の周面２４の第２の面に設けられる第２の凹部に相当する。
【００２２】
コア材２０に用いるユーカリ材としては、多数種存在する中の適宜のものを用いることが可能であるが、オーストラリアの寒い地方のタスマニア島に生育したものとすると、強度、特に耐衝撃性に一層優れた二重床用フロアパネル１０とすることができて好適である。また、単板の重ね合わせ構造では、各単板の繊維の目が互い違いになるように積層すると、より強度が増すことができると共に強度の均一化を図ることができて好適である。また、単板の枚数は、例えば３枚以上１９枚以下など適宜である。各単板を薄くし、枚数を増やすと、強度をより一層増すことができて好ましいが、二重床用フロアパネル１０の厚さと強度のバランスから７枚から９枚程度とするとよい。また、コア材２０を構成する単板の比重としては０．７０以上０．８５以下とすると強度向上の点から好適であり、タスマニア産のユーカリはこの比重の範囲内に含まれている。
【００２３】
下側鋼板材３０は、図４に示すように、平面視略方形であり、コア材２０の下面２３に沿って底面を構成する基板３１と、基板３１の周縁から上方に屈曲延設される立上片３２とを有する。立上片３２は、底面を構成する基板３１の端縁から立ち上がり、コア材２０の下側垂下面２４３に沿うように形成される下側立上面３２１と、下側立上面３２１の上端縁を外方に拡開させ、コア材２０のテーパ面２４２に沿うように形成される拡開テーパ面３２２と、拡開テーパ面３２２の上端縁から立ち上がり、コア材２０の上側垂下面２４１に沿うように形成される上側立上面３２３とから構成される。下側鋼板材３０の四隅の角部においては基板３１や立上片３２が切り欠かれた切欠部３３が形成され、その四隅近傍には前記固定用ボルトを挿通可能で挿通穴１１を構成する挿通穴３４が穿設されており、又、配線引出用凹部１２及び収納凹部１４に対応する箇所には、対応する凹部３５、３６がそれぞれ形成されている。また、突起体１３を設ける位置と対応する箇所には、下側立上面３２１、拡開テーパ面３２２、上側立上面３２３が無い状態の切除部３７が形成されている。
【００２４】
上側鋼板材４０は、図５に示すように、平面視略方形であり、コア材２０の上面２２に沿って上面を構成する基板４１と、基板４１の周縁から下方に屈曲延設される垂下片４２とを有する。垂下片４２は、基板４１から四辺において垂下し、下側鋼板材３０の上側立上面３２３の外面に当接する垂下面になっている。上側鋼板材４０の四隅近傍には前記固定用ボルトを挿通可能で挿通穴１１を構成する挿通穴４３が穿設されており、又、配線引出用凹部１２及び収納凹部１４に対応する箇所には、対応する凹部４４、４５がそれぞれ形成されている。また、突起体１３を設ける位置と対応する箇所には、垂下片４２が無い状態の切除部４６が形成されている。
【００２５】
突起体１３は、樹脂製であり、図７に示すように、平面視略蒲鉾形の取付部１３１と、取付部１３１のコア材２０と逆側に設けられ、先端が略半楕円弧状に形成されている係合突出部１３２とから構成される。取付部１３１はコア材２０の周面２４の第１の面に設けられる第１の凹部に相当する凹状部２８に嵌合され、コア材２０と接着される。取付部１３１の接着面側（取付部１３１の嵌合方向の面側）には、平面視Ω字形のアンカー凹部１３３が形成されており、コア材２０の凹状部２８と取付部１３１とを接着する接着剤がアンカー凹部１３３の先端拡大部にまで入り込み、アンカー効果により、突起体１３のコア材２０に対する接着強度が高められている。この接着剤には適宜のものを用いることが可能であるが、ホットメルト接着剤等とするとより確実にアンカー効果を発揮することができて好適である。更に、突起体１３は、上下面を上側鋼板材４０の端部と下側鋼板材３０の端部とで挟持され、二重床用フロアパネル１０に対する取付強度が一層高められている。尚、アンカー凹部１３３の形状、個数は上記Ω字形で６個の構成に限定されず、適宜であるが、先端に拡大部を有する形状で複数設けると固着強度をより高められて好適である。
【００２６】
係合突出部１３２は、図８に示すように、突起体１３を一の二重床用フロアパネル１０のコア材２０或いは一の二重床用フロアパネル１０に固定した状態で、別の二重床用フロアパネル１０におけるコア材２０の周面２４の第２の面に設けられる第２の凹部に相当する凹部２７或いは別の二重床用フロアパネル１０の収納凹部１４に係合可能であり、係合突出部１３２は一の二重床用フロアパネル１０と別の二重床用フロアパネル１０を隣接配置する際に別の二重床用フロアパネル１０の凹部２７或いは収納凹部１４に係合される。尚、突起体１３の取付部１３１の一部を二重床用フロアパネル１０或いは上側鋼板材４０の平面視の周縁から外側に突出させ、収納凹部１４或いは凹部２７の形状や大きさをそれに応じた構成としてもよく、前記構成により、突起体１３を確実に目視することが可能となる。
【００２７】
これらのコア材２０、下側鋼板材３０、上側鋼板材４０、突起体１３から二重床用フロアパネル１０を構成する際には、コア材２０の凹状部２８に突起体１３の取付部１３１を嵌合等で取り付けると共に凹状部２８に取付部１３１を接着剤で固定し、コア材２０に突起体１３を取り付ける。そして、コア材２０の下面及び上面に接着剤を塗布し、図６に示すように、下側鋼板材３０と上側鋼板材４０とをコア材２０を挟み込むように配置し、コア材２０の下面に下側鋼板材３０、コア材２０の上面に上側鋼板材４０を接着して、二重床用フロアパネル１０を構成する。尚、この接着に使用する接着剤やその種類数は適宜であり、１液若しくは２液性を問わず、溶剤形、水性形、ホットメルト形、反応形若しくは感圧形等とする構成、或いはこれらの組み合わせとする構成等とすることが可能であり、具体例としてはアクリル系、フェノール系、メラミン樹脂系、酢酸ビニル系、塩化ビニル樹脂系、ユリア樹脂系、ポリスチレン樹脂系、ポリビニルアルコール系、シリコーン系、ウレタン系、エポキシ系、天然ゴム系の接着剤など適宜使用することが可能である。
【００２８】
コア材２０と下側鋼板材３０と上側鋼板材４０の配置では、下側鋼板材３０の立上片３２と上側鋼板材４０の垂下片４２とを少なくとも一部に重なり部を有するように配置して、立上片３２と垂下片４２とでコア材２０の周面２４の少なくとも一部を覆い、この重なり部により、外側に位置する垂下片４２で内側に位置する立上片３２及びコア材２０の周面２４を押圧する、又は外側に位置する立上片３２で内側に位置する垂下片４２とコア材２０の周面２４を押圧するようにする。本例では、下側鋼板材３０の立上片３２の一部である上側立上面３２３の外方に略接する状態で上側鋼板材４０の垂下片４２を構成する垂下面を配置し、立上片３２の内面をコア材２０の周面２４に略当接すると共に、垂下片４２の内面を立上片３２の外面に略当接し、外側に位置する垂下片４２で内側に位置する立上片３２及びコア材２０の周面２４を押圧するようになっており、前記構成により、より安定した高強度の構造で、二重床用フロアパネル１０の周面近傍を覆うことが可能になっている。
【００２９】
また、二重床用フロアパネル１０を支持する支持脚５０は、図９に示すように、基礎床面６０に設置されるベース部５１と、ベース部５１から立設し、外周に螺子部５２１を有するボルトからなる立設部５２と、立設部５２の螺子部５２１に螺合される高さ調整ナット５３１が底部にかしめて設けられ、高さ調整ナット５３１の回転により高さ調整可能に取り付けられる調整部５３と、調整部５３上に設置される樹脂製のスペーサ部５４と、スペーサ部５４上に貼着して配置される緩衝材５５とから構成される。支持脚５０は、調整部５３の回転による高さ調整により、ベース部５１からスペーサ部５４上の緩衝材５５の上面までの高さを調整して、緩衝材５５上に底面が載置される二重床用フロアパネル１０の高さ調整及びそのガタツキに対する微調整が可能になっている。
【００３０】
ベース部５１は、図１０に示すように、平面視及び底面視で略正方形等の略方形の板状であり、四辺の略中央部には墨だし時の位置決めの目安となる切欠５１１がそれぞれ形成されている。ベース部５１の底面側には底面視円形の凹部５１２と、中央から四隅に向かって直線状に延び、凹部５１２と交差する凹部５１３とが形成されており、ベース部５１を基礎床面６０に固定する際に、その固定で用いる接着剤が凹部５１２、５１３にたまるようになっている。凹部５１２、５１３はベース部５１の上面側ではそれぞれ凸部となっている。更に、ベース部５１の直線状の凹部５１３・５１３相互間で一方側にずれた位置には貫通する円形の穴５１４が複数形成されており、穴５１４から接着剤がベース部５１の上面まで溢れることにより、ベース部５１の基礎床面６０への固定をアンカー効果で強化可能になっている。また、ボルトからなる立設部５２は、その下端をベース部５１の略中央部にかしめ且つ溶接して固定され立設しており、図中の５２２はかしめ部、５２３は溶接部である。
【００３１】
立設部５２に高さ調整可能に取り付けられている調整部５３は、図１１に示すように、平面視略方形で四隅が面取りされている基部５３２と、基部５３２の略中央部に下方に凹んで形成され、弛み止めナットを配設可能なナット収納部５３３と、ナット収納部５３３の底部にかしめ結合された高さ調整ナット５３１と、基部５３２の四辺のそれぞれの略中央部近傍に穿設され、二重床用フロアパネル１０の固定用ボルトを螺合して固定可能な穴５３４と、ナット収納部５３３の基部５３２の四隅方向で外方に膨らんで形成されている補強用リブ５３５とから構成される。高さ調整ナット５３１を回転して立設部５２に対する調整部５３の高さを調整した後に、上方から立設部５３に弛み止めナットを螺合し或いは締め付けてナット収納部５３３に収納する構成により、ダブルナット効果で振動や踏圧に対する弛み止めが可能になっている。
【００３２】
調整部５３の基部５３２上に取り付けられるスペーサ部５４は、図１２に示すように、平面視略方形で四隅が面取りされている基部５４１と、基部５４１の周縁から下方に延設された垂下面５４２と、基部５４１の上面の四隅近傍で上方に突出して形成された突出部５４３と、基部５４１の略中央に穿設され、弛み止めナットを取り付け可能な開口部５４４と、調整部５３の穴５３４に対応する位置に穿設され、固定用ボルトを挿通可能な穴５４５と、基部５４１の四辺略中央の垂下面５４２の下端に形成され、調整部５３の基部５３２の四辺に係止可能な係止部５４６とから構成され、スペーサ部５４は、係止部５４６を調整部５３の基部５３２に係止して調整部５３と一体化されるようになっている。更に、突出部５４３は、正面視で上方に延びる垂直部５４７と、垂直部５４７の頂部で山状に突出する山状部５４８とから構成され、中空で正面視前後面が閉塞されると共に、その前後方向の略中央位置に補強片５４９が形成されている。突出部５４３は、二重床用フロアパネル１０の周面の一部に略当接して二重床用フロアパネル１０を位置決めすることが可能になっている。尚、調整部５３の基部５３２とスペーサ部５４の基部５４１は平面視略方形であるため、相互の回り止めを設ける必要がない。
【００３３】
緩衝材５５は、スペーサ部５４の基部５４１上の開口部５４４、突出部５４３、穴５４５を除く箇所に貼着され、歩行時の音の発生等を防止可能になっている。緩衝材５５の素材は、不織布、ゴム、スポンジ、紙状物、布状物など適宜であり、又、その構成も適宜であり、例えば平板状のゴムに複数の突起を設ける構成等とすることも可能である。
【００３４】
そして、上記二重床用フロアパネル１０と支持脚５０で二重床設備を構成する場合、図１に示すように、支持部に相当する支持脚５０を所定間隔を開けて基礎床面６０に配置し、各支持脚５０を基礎床面６０に接着剤で固定する。その後、或いは支持脚５０の配置と並行して、支持脚５０上に二重床用フロアパネル１０を載置する。二重床用フロアパネル１０を載置する際には、支持脚５０の緩衝材５５上に四方に配置される二重床用フロアパネル１０の四隅を載置し、二重床用フロアパネル１０の固定用ボルトの挿通穴１１と、支持脚５０の穴５３４、５４５が平面視略同一位置になるように配置する。この状態では、スペーサ部５４の突出部５４３における垂直部５４７の外面が、二重床用フロアパネル１０の周面の一部である下側鋼板材３０の下側立上面３２１に略当接し、山状部５４８の傾斜面が、二重床用フロアパネル１０の周面の一部である下側鋼板材３０の拡開テーパ面３２２に略当接し、各二重床用フロアパネル１０を確実な位置で載置固定することが可能な構成である。
【００３５】
また、複数の二重床用フロアパネル１０を支持脚５０上に敷設する際には、図８に示すように、隣接する一方の二重床用フロアパネル１０の突起体１３の係合突出部１３２が、隣接する他方の二重床用フロアパネル１０の収納凹部１４に入り込んで係合され、二重床の床面が形成される。
【００３６】
本実施形態の二重床用フロアパネル１０或いは二重床設備は、コア材２０を単板を複数枚重ね合わせた合板で構成することにより、充分な耐衝撃性等の強度を得ることができると共に、薄型化や軽量化を図ることができ、施工性の向上、コスト低減、建物への荷重負担の軽減を図ることができる。また、簡易な構造で、コスト低減を図ることもできる。また、垂下片４２や立上片３２及びその押圧により、二重床用フロアパネル１０の強度が一番弱い部分である周面近傍において、強度を増すことができる。また、コア材２０の大部分を上側鋼板材４０と下側鋼板材３０で隠すことが可能であり、且つ四隅を固定用ボルトで固定しているため、浸水時に二重床用フロアパネル１０が分解することを防止することができ、建物が浸水した場合にも、最低限、物品の搬出作業が可能な状態を維持することができる。また、上記コア材１０や下側鋼板材３０等の構成により、二重床用フロアパネル１０の強度が一番弱い部分である周面近傍において、曲げ部分を多くし、且つ、曲げ部分をコア材２０に略当接することにより、強度をより一層増すことができる。また、上記突起体１３やアンカー凹部１３３の構成により、コア材２０に簡単に突出部分を設けることができると共に、接着剤を拡大部に入り込ませ、アンカー効果により、突起体１３をコア材２０に強固に接着して安定して固定できる。また、係合突出部１３２を隣接配置される別の二重床用フロアパネルの収納凹部１４に係合することにより、隣接する一と別の二重床用フロアパネルを簡単に位置決めし、回転防止を図ること等が可能となる。
【００３７】
また、二重床設備では、調整部５３とスペーサ５４との回り止めなどを別途付加する必要がなくなるため、製造コストを低減することが可能となる。また、緩衝材５５上に二重床用フロアパネル１０の底面が位置することから、歩行感が良く、音なりを防止することができる。また、支持脚５０の構造が簡易で、低コストである二重床設備を得ることができる。また、スペーサ部５４を単純な構成で製造することが可能となり、製造コストを低減することができる。また、スペーサ部５４の上部の突出部５４３で位置決めすることが可能となり、二重床用フロアパネル１０の位置決めして敷設を容易化することができる。また、二重床用フロアパネル１０をある程度の位置に配置すると、山状部５４８と拡開テーパ面３２２との協同により正確な位置に滑り落ちて載置することが可能であり、優れた施工性を有する。また、配線敷設作業等を行って二重床用フロアパネル１０を支持脚５０から取り外した場合でも、突起体１３等により、正確な方向、位置で二重床用フロアパネル１０を戻すことができ、ガタツキを未然に防止することができる。また、固定用ボルトにて二重床用フロアパネル１０と支持脚５０を一体化することにより、より一層強度を確保した状態で、二重床用フロアパネル１０が分解することを防止できる。
【００３８】
〔実施形態の変形例等〕
本明細書開示の発明は、上記実施形態に限定されず、上記実施形態や変形例の部分的な構成を組み合わせたもの、或いは上記実施形態や変形例の構成を部分的に取出したもの、或いは上記実施形態や変形例の部分的な構成を変形例の構成に付加したもの、上記実施形態や変形例の不要箇所を削除したもの等も包含し、例えば下記のような変形例も包含する。
【００３９】
例えば本発明の二重床用フロアパネル或いは二重床設備は、支持脚５０等の支持部分離型である必要はなく、支持部と二重床用フロアパネルが予め一体化されている構成としてもよい。更に、高さ調整可能な構成としない場合も包含し、様々な二重床に適用可能である。また、回転防止等の機能を有する突起体１３を設けない構成とすることも可能であり、更には本例以外の突起体１３を設けることも可能である。また、下側鋼板材３０と上側鋼板材４０の少なくとも一方に補強用のリブを設けると、より一層の高強度が実現できて好適である。また、配線引出用凹部１２を無くすことも可能であり、更にはその数も８個に限定されず、７個以下、或いは９個以上など適宜である。
【００４０】
図１３に、支持部一体型の二重床用フロアパネル１０ａの例を示す。この二重床用フロアパネル１０ａは、上記実施形態の二重床用フロアパネル１０と同様に、単板を複数枚重ね合わせた合板で構成されるコア材２０ａと、コア材２０ａの上面側に固着して設けられる上側鋼板材４０ａと、コア材２０ａの下面側に固着して設けられる下側鋼板材３０ａとから構成される。二重床用フロアパネル１０ａには、突起体１３や収納凹部１４は設けられておらず、配線引出用凹部１２ａは隣り合う２辺に各２個ずつで合計４個設けられている。下側鋼板材３０ａの四隅近傍には下方に突出して支持部に相当する支持脚５０ａが一体形成され、更に、下側鋼板材３０ａの底面側には補強用リブ３３ａが形成されている。補強用リブ３３ａは、下側鋼板材３０ａの上方に突出して形成する構成、或いは下方に突出して形成する構成の何れとすることも可能である。
【００４１】
また、支持脚５０のスペーサ部５４の突出部５４３を設けない構成とすることも可能であり、又、突出部５４３の形状は上記実施形態の形状以外にも適宜であり、例えば垂直部５４７に相当する部位のみの構成、或いは山状部５４８に相当する部位のみの構成とすることが可能である。また、突出部５４３の補強片５４９を設けない構成、或いは突出部５４３を中実とする構成とすることも可能である。
【００４２】
また、コア材２０の周面、更には下側鋼板材３０の周面には、テーパ面等を設けずに、垂直な周面とする構成も可能である。また、上側鋼板材４０、４０ａ及び下側鋼板材３０、３０ａの板厚は、例えば０．１ｍｍ以上１．０ｍｍ以下とすると好適であり、より好適には０．３ｍｍとするとよく、充分な強度と薄型化を実現することができる。また、上側鋼板材４０、４０ａと下側鋼板材３０、３０ａの板厚は相互に異なる板厚とすることも可能であり、例えば上側鋼板材４０、４０ａを０．１ｍｍ、下側鋼板材３０、３０ａを０．４ｍｍにするなど適宜である。また、本発明の上側板材、下側板材は所要強度を有するものであれば、鋼製以外のものとすることも可能である。また、本明細書に開示の発明には、コア材２０、２０ａ等のコア材を合板でないコア材とし、他の特徴的な構成と組み合わせたものも包含する。
【００４３】
また、本発明の二重床用フロアパネルは、図１４のような二重床用フロアパネル１０ｂに適用してもよい。二重床用フロアパネル１０ｂは、単板を複数枚重ね合わせた合板或いは一枚板等の板材で構成されるコア材２０ｂと、コア材２０ｂの上面側に固着して設けられる上側鋼板材４０ｂと、コア材２０ｂの下面側に固着して設けられる下側鋼板材３０ｂとから構成され、その一辺の略中央に大型の凹部１５ｂが形成されている。凹部１５ｂは、多量の配線の引き出し或いはコンセント等を設置可能とするものであり、断面コ字形のカバー１６ｂで被覆され、凹部１５ｂを使用する際にはカバー１６ｂを取り外し、使用しない場合にはカバー部材１６ｂを取り付けるようになっている。尚、配線引出用凹部１２、１２ａ、二重床用フロアパネル１０、１０ａ、１０ｂの四隅部、或いは二重床用フロアパネル１０ｂの凹部１５ｂ等でコア材２０、２０ａ、２０ｂが側面から見える状態となる場合は、この目視される部分に下側鋼板材３０、３０ａ、３０ｂや上側鋼板材４０、４０ａ、４０ｂと同一色の塗装を施すと良好であり、この塗装は例えばアクリル塗装、ウレタン塗装、シリコン塗装、フッ素塗装等の適宜の塗装で行うことが可能である。
【００４４】
また、本発明の二重床用フロアパネルにおける突起体について、平面視で上側鋼板材４０の周縁から係合突出部１３２だけが突出する構成に限定されず、例えば図１５に示すように、上側鋼板材４０ｃに切欠４７ｃを形成し、係合突出部１３２ｃを突出すると共に、切欠４７ｃから突起体１３ｃの拡大部である取付部１３１ｃの一部を平面視で目視可能にする構成としてもよい。１０ｃは二重床用フロアパネル、２０ｃはコア材、３０ｃは下側鋼板材である。また、例えば突起体１３等を赤、青、黄など目立つ色にし、突起体１３等を平面視で広範囲に目視可能とすることにより、施工者が容易に二重床用フロアパネル１０等の方向を確認でき、施工性を高めることができる。また、二重床用フロアパネルの突起を突起体１３等に代えて、上側鋼板材、下側鋼板材或いはコア材に一体的に設けられる突起とする構成等とすることも可能である。
【産業上の利用可能性】
【００４５】
本発明は、二重床用フロアパネルや二重床設備に利用することができる。
【符号の説明】
【００４６】
１０、１０ａ、１０ｂ、１０ｃ…二重床用フロアパネル  １１…挿通穴  １２、１２ａ…配線引出用凹部  １３、１３ｃ…突起体  １３１、１３１ｃ…取付部  １３２、１３２ｃ…係合突出部  １３３…アンカー凹部  １４…収納凹部  １５ｂ…凹部  １６ｂ…カバー  ２０、２０ａ、２０ｂ、２０ｃ…コア材  ２２…上面  ２３…下面  ２４…周面  ２４１…上側垂下面  ２４２…テーパ面  ２４３…下側垂下面  ２５…挿通穴  ２６、２７…凹部  ２８…凹状部  ３０、３０ａ、３０ｂ、３０ｃ…下側鋼板材  ３１…基板  ３２…立上片  ３２１…下側立上面  ３２２…拡開テーパ面  ３２３…上側立上面  ３３…切欠部  ３３ａ…補強用リブ  ３４…挿通穴  ３５、３６…凹部  ３７…切除部  ４０、４０ａ、４０ｂ、４０ｃ…上側鋼板材  ４１…基板  ４２…垂下片  ４３…挿通穴  ４４、４５…凹部  ４６…切除部  ４７ｃ…切欠  ５０、５０ａ…支持脚  ５１…ベース部  ５１１…切欠  ５１２、５１３…凹部  ５１４…穴  ５２…立設部  ５２１…螺子部  ５２２…かしめ部  ５２３…溶接部  ５３…調整部  ５３１…高さ調整ナット  ５３２…基部  ５３３…ナット収納部  ５３４…穴  ５３５…補強用リブ  ５４…スペーサ部  ５４１…基部  ５４２…垂下面  ５４３…突出部  ５４４…開口部  ５４５…穴  ５４６…係止部  ５４７…垂直部  ５４８…山状部  ５４９…補強片  ５５…緩衝材  ６０…基礎床面  ７０…配線路空間
【図１】
2011140856.tif 000003
【図２】
2011140856.tif 000004
【図３】
2011140856.tif 000005
【図４】
2011140856.tif 000006
【図５】
2011140856.tif 000007
【図６】
2011140856.tif 000008
【図７】
2011140856.tif 000009
【図８】
2011140856.tif 000010
【図９】
2011140856.tif 000011
【図１０】
2011140856.tif 000012
【図１１】
2011140856.tif 000013
【図１２】
2011140856.tif 000014
【図１３】
2011140856.tif 000015
【図１４】
2011140856.tif 000016
【図１５】
2011140856.tif 000017